(57)【要約】【課題】ユーザの利便性を確保しつつ、紛失時や盗難時における第三者による非接触カード機能の不正利用を防止すること。【解決手段】基地局装置から受信する電波状態（通信圏内状態及び通信圏外状態）を検出する圏内外検出部２０と、外部のリーダライタと非接触で通信を行うＩＣカード部１２と、上記リーダライタと非接触で通信を行う場合におけるユーザの認証処理を実行する認証部１７と、圏内外検出部２０により検出された電波状態に応じて認証部１７による認証処理の有無を切り替える制御部１１と、を具備する。制御部１１は、電波状態が通信圏外状態の場合に認証部１７に認証処理を実行させる。【選択図】図２
2007068016.tif 000002
【特許請求の範囲】
【請求項１】
基地局装置から受信する電波状態を検出する電波状態検出手段と、外部のリーダライタと非接触で通信を行う非接触通信手段と、前記リーダライタと非接触で通信を行う場合にユーザの認証処理を実行する認証手段と、前記電波状態に応じて前記認証手段による認証処理の有無を切り替える制御手段と、を具備することを特徴とする移動体端末装置。
【請求項２】
前記制御手段は、前記電波状態が通信圏外状態の場合に前記認証手段に認証処理を行わせる一方、前記電波状態が通信圏内状態の場合に前記認証手段に認証処理を行わせないことを特徴とする請求項１記載の移動体端末装置。
【請求項３】
前記制御手段は、前記通信圏外状態が所定時間継続した場合に前記認証手段に認証処理を行わせることを特徴とする請求項２記載の移動体端末装置。
【請求項４】
前記非接触通信手段は、前記制御手段から通知されるセキュリティレベルに応じて非接触通信の許否を前記制御手段に問い合わせ、前記制御手段は、当該問合せに応じて前記認証手段に認証処理を行わせることを特徴とする請求項１から請求項３のいずれかに記載の移動体端末装置。
【請求項５】
前記非接触通信手段は、前記制御手段にて前記電波状態が通信圏外状態の場合に設定されるセキュリティレベルの通知を受けた場合に非接触通信の許否を問い合わせる一方、前記電波状態が通信圏内状態の場合に設定されるセキュリティレベルの通知を受けた場合に非接触通信の許否を問い合わせることなく当該非接触通信を行うことを特徴とする請求項３記載の移動体端末装置。
【請求項６】
自装置における電源状態を検出する電源検出手段を具備し、前記制御手段は、前記電源状態に応じて前記非接触通信手段による非接触通信の許否を切り替えることを特徴とする請求項１から請求項５のいずれかに記載の移動体端末装置。
【請求項７】
前記制御手段は、前記電源状態が電源オフ状態の場合に前記非接触通信手段による非接触通信の実行を制限する一方、前記電源状態が電源オン状態の場合に前記非接触通信手段による非接触通信の実行を許容することを特徴とする請求項６記載の移動体端末装置。
【請求項８】
外部のリーダライタと非接触で通信を行う移動体端末装置のセキュリティ管理方法であって、基地局装置から受信する電波状態を検出し、前記リーダライタと非接触で通信を行う場合におけるユーザの認証処理の有無を、前記電波状態に応じて切り替えることを特徴とするセキュリティ管理方法。
【請求項９】
前記電波状態が通信圏外状態の場合に前記認証処理を行う一方、前記電波状態が通信圏内状態の場合に前記認証処理を行わないことを特徴とする請求項８記載のセキュリティ管理方法。
【請求項１０】
前記通信圏外状態が所定時間継続した場合に前記認証処理を行うことを特徴とする請求項９記載のセキュリティ管理方法。
【請求項１１】
前記移動体端末装置における電源状態を検出し、前記電源状態に応じて非接触通信の許否を切り替えることを特徴とする請求項８から請求項１０のいずれかに記載のセキュリティ管理方法。
【請求項１２】
前記電源状態が電源オフ状態の場合に非接触通信の実行を制限する一方、前記電源状態が電源オン状態の場合に非接触通信の実行を許容することを特徴とする請求項１１記載のセキュリティ管理方法。
【発明の詳細な説明】
【技術分野】
【０００１】
本発明は、移動体端末装置及びそのセキュリティ管理方法に関し、特に、非接触カード機能を搭載した移動体端末装置及びそのセキュリティ管理方法に関する。
【背景技術】
【０００２】
現在、非接触カード機能を搭載した携帯端末が広く普及している。これらの携帯端末には、電子マネーサービスに用いられる電子マネーのチャージ情報など、高いセキュリティを必要とする情報が格納されることが多い。このような携帯端末内の情報のセキュリティを確保するため、例えば、これらの携帯端末の紛失時や盗難時において、ネットワークを介して遠隔で非接触カード機能の利用を制限すること（所謂、遠隔ロック）が一般的に行なわれている。
【特許文献１】特願２００３−１６３９８号公報
【発明の開示】
【発明が解決しようとする課題】
【０００３】
上述のような遠隔ロックを行うには、携帯端末の電源がオン状態であり、且つ、当該携帯端末が通信圏内に存在することが前提となる。このため、携帯端末の電源がオフ状態である場合や、通信圏外に存在する場合には、遠隔ロックを行うことはできない。しかし、携帯端末における非接触カード機能は、当該携帯端末の電源の状態や携帯端末の電波受信状態に関わらず、利用することが可能である。このため、悪意の第三者が携帯端末の電源がオフ状態のままで利用したり、通信圏外の位置で利用したりする場合には、非接触カード機能の不正利用が許容されるという問題がある。
【０００４】
一方、遠隔ロック以外のセキュリティを確保する技術として、紛失時や盗難時における他人の不正利用を防止すべく、非接触カード機能の利用に先立って認証処理を要求し、その認証結果に基づいて当該機能の使用可否を切り替える携帯端末が提案されている（例えば、特許文献１参照）。しかし、このような携帯端末においては、非接触カード機能の通常の利用時においても認証処理が要求されるため、使用したい時に使用することができず、ユーザにおける利便性において不都合が生じることとなる。
【０００５】
本発明はかかる点に鑑みてなされたものであり、ユーザの利便性を確保しつつ、紛失時や盗難時における第三者による非接触カード機能の不正利用を防止することができる移動体端末装置及びそのセキュリティ管理方法を提供することを目的とする。
【課題を解決するための手段】
【０００６】
本発明の移動体端末装置は、基地局装置から受信する電波状態を検出する電波状態検出手段と、外部のリーダライタと非接触で通信を行う非接触通信手段と、前記リーダライタと非接触で通信を行う場合にユーザの認証処理を実行する認証手段と、前記電波状態に応じて前記認証手段による認証処理の有無を切り替える制御手段と、を具備することを特徴とする。
【０００７】
この構成によれば、制御手段が、電波状態に応じて認証手段による認証処理の有無を切り替えるようにしたので、電波状態に応じて移動体端末装置におけるセキュリティを切り替えることが可能となる。例えば、電波状態が通信圏外状態の場合に認証処理を実行する一方、通信圏内状態の場合に認証処理を省略するように制御することにより、電波状態が通信圏外状態の場合において、非接触で通信を行う場合にはユーザの認証処理が実行されるので、移動体端末装置が通信圏外に存在する場合における第三者による非接触カード機能の不正利用を防止することが可能となる。一方、当該移動体端末が通信圏内に存在する場合には認証処理が省略されることから、正規のユーザが通信圏内で当該移動体端末装置を携帯している場合にまで認証処理を要求することはないので、ユーザの利便性を損なうことはない。この結果、ユーザの利便性を確保しつつ、紛失時や盗難時における第三者による非接触カード機能の不正利用を防止することが可能となる。
【０００８】
本発明の移動体端末装置において、前記制御手段は、前記電波状態が通信圏外状態の場合に前記認証手段に認証処理を行わせる一方、前記電波状態が通信圏内状態の場合に前記認証手段に認証処理を行わせないことが好ましい。この構成によれば、電波状態が通信圏外状態の場合において、非接触で通信を行う場合にはユーザの認証処理が実行されるので、移動体端末装置が通信圏外に存在する場合における第三者による非接触カード機能の不正利用を防止することが可能となる。一方、当該移動体端末が通信圏内に存在する場合には認証処理が省略されることから、正規のユーザが通信圏内で当該移動体端末装置を携帯している場合にまで認証処理を要求することはないので、ユーザの利便性を損なうことはない。
【０００９】
また、本発明の移動体端末装置において、前記制御手段は、前記通信圏外状態が所定時間継続した場合に前記認証手段に認証処理を行わせることが好ましい。この構成によれば、一時的に電波状態が通信圏外状態になった場合にまで、非接触カード機能の利用が制限される事態が回避されるので、よりユーザの利便性に優れた移動体端末装置を提供することが可能となる。
【００１０】
また、本発明の移動体端末装置において、前記非接触通信手段は、前記制御手段から通知されるセキュリティレベルに応じて非接触通信の許否を前記制御手段に問い合わせ、前記制御手段は、当該問合せに応じて前記認証手段に認証処理を行わせるようにしても良い。この構成によれば、非接触通信手段が、制御手段から通知されるセキュリティレベルに応じて非接触通信の許否を問い合わせるので、セキュリティレベルの内容に応じて非接触通信を制御することが可能となる。また、制御手段が、非接触通信手段からの問合せに応じて認証処理を行わせることから、自装置に設定したセキュリティレベルに応じて認証処理を制御することが可能となる。
【００１１】
また、本発明の移動体端末装置において、前記非接触通信手段は、前記制御手段にて前記電波状態が通信圏外状態の場合に設定されるセキュリティレベルの通知を受けた場合に非接触通信の許否を問い合わせる一方、前記電波状態が通信圏内状態の場合に設定されるセキュリティレベルの通知を受けた場合に非接触通信の許否を問い合わせることなく当該非接触通信を行うようにしても良い。この構成によれば、電波状態が通信圏外状態の場合にのみ認証処理を要求する一方、通信圏内状態の場合には認証処理を要求することなく非接触通信を実行することが可能となる。
【００１２】
さらに、本発明の移動体端末装置において、自装置における電源状態を検出する電源検出手段を具備し、前記制御手段は、前記電源状態に応じて前記非接触通信手段による非接触通信の許否を切り替えるようにしても良い。この構成によれば、電源状態に応じて移動体端末装置におけるセキュリティを切り替えることが可能となる。例えば、電源状態が電源オフ状態の場合に非接触通信の実行を制限する一方、電源オン状態の場合に非接触通信の実行を許容するように制御することにより、電源オフ状態における非接触通信の実行が制限されるので、移動体端末装置が電源オフ状態の場合における第三者による非接触カード機能の不正利用を防止することが可能となる。一方、当該移動体端末が電源オン状態の場合には非接触通信の実行が許容されることから、正規のユーザが電源オン状態で非接触通信を実行する場合まで当該実行が制限されることはないので、ユーザの利便性を損なうことはない。この結果、ユーザの利便性を確保しつつ、紛失時や盗難時における第三者による非接触カード機能の不正利用を防止することが可能となる。
【００１３】
本発明の移動体端末装置において、前記制御手段は、前記電源状態が電源オフ状態の場合に前記非接触通信手段による非接触通信の実行を制限する一方、前記電源状態が電源オン状態の場合に前記非接触通信手段による非接触通信の実行を許容することが好ましい。この構成によれば、電源オフ状態における非接触通信の実行が制限されるので、移動体端末装置が電源オフ状態の場合における第三者による非接触カード機能の不正利用を防止することが可能となる。一方、当該移動体端末が電源オン状態の場合には非接触通信の実行が許容されることから、正規のユーザが電源オン状態で非接触通信を実行する場合まで当該実行が制限されることはないので、ユーザの利便性を損なうことはない。
【００１４】
本発明のセキュリティ管理方法は、外部のリーダライタと非接触で通信を行う移動体端末装置のセキュリティ管理方法であって、基地局装置から受信する電波状態を検出し、前記リーダライタと非接触で通信を行う場合におけるユーザの認証処理の有無を、前記電波状態に応じて切り替えることを特徴とする。
【００１５】
この方法によれば、検出される電波状態に応じて認証処理の有無を切り替えるようにしたので、電波状態に応じて移動体端末装置におけるセキュリティを切り替えることが可能となる。例えば、電波状態が通信圏外状態の場合に認証処理を実行する一方、通信圏内状態の場合に認証処理を省略するように制御することで、電波状態が通信圏外状態の場合において、非接触で通信を行う場合にはユーザの認証処理が実行されるので、移動体端末装置が通信圏外に存在する場合における第三者による非接触カード機能の不正利用を防止することが可能となる。一方、当該移動体端末が通信圏内に存在する場合には認証処理が省略されることから、正規のユーザが通信圏内で当該移動体端末装置を携帯している場合にまで認証処理を要求することはないので、ユーザの利便性を損なうことはない。この結果、ユーザの利便性を確保しつつ、紛失時や盗難時における第三者による非接触カード機能の不正利用を防止することが可能となる。
【００１６】
本発明のセキュリティ管理方法において、前記電波状態が通信圏外状態の場合に前記認証処理を行う一方、前記電波状態が通信圏内状態の場合に前記認証処理を行わないことが好ましい。この場合には、電波状態が通信圏外状態の場合において、非接触で通信を行う場合にはユーザの認証処理が実行されるので、移動体端末装置が通信圏外に存在する場合における第三者による非接触カード機能の不正利用を防止することが可能となる。一方、当該移動体端末が通信圏内に存在する場合には認証処理が省略されることから、正規のユーザが通信圏内で当該移動体端末装置を携帯している場合にまで認証処理を要求することはないので、ユーザの利便性を損なうことはない。
【００１７】
また、本発明のセキュリティ管理方法において、前記通信圏外状態が所定時間継続した場合に前記認証処理を行うことが好ましい。この場合には、一時的に電波状態が通信圏外状態になった場合にまで、非接触カード機能の利用が制限される事態が回避されるので、よりユーザの利便性に優れた移動体端末装置を提供することが可能となる。
【００１８】
さらに、本発明のセキュリティ管理方法において、前記移動体端末装置における電源状態を検出し、前記電源状態に応じて非接触通信の許否を切り替えるようにしても良い。この場合には、電源状態に応じて移動体端末装置におけるセキュリティを切り替えることが可能となる。例えば、電源状態が電源オフ状態の場合に非接触通信の実行を制限する一方、電源オン状態の場合に非接触通信の実行を許容するように制御することにより、電源オフ状態における非接触通信の実行が制限されるので、移動体端末装置が電源オフ状態の場合における第三者による非接触カード機能の不正利用を防止することが可能となる。一方、当該移動体端末が電源オン状態の場合には非接触通信の実行が許容されることから、正規のユーザが電源オン状態で非接触通信を実行する場合まで当該実行が制限されることはないので、ユーザの利便性を損なうことはない。この結果、ユーザの利便性を確保しつつ、紛失時や盗難時における第三者による非接触カード機能の不正利用を防止することが可能となる。
【００１９】
さらに、本発明のセキュリティ管理方法において、前記電源状態が電源オフ状態の場合に非接触通信の実行を制限する一方、前記電源状態が電源オン状態の場合に非接触通信の実行を許容することが好ましい。この場合には、電源オフ状態における非接触通信の実行が制限されるので、移動体端末装置が電源オフ状態の場合における第三者による非接触カード機能の不正利用を防止することが可能となる。一方、当該移動体端末が電源オン状態の場合には非接触通信の実行が許容されることから、正規のユーザが電源オン状態で非接触通信を実行する場合まで当該実行が制限されることはないので、ユーザの利便性を損なうことはない。
【発明の効果】
【００２０】
本発明に係る移動体端末装置及びそのセキュリティ管理方法によれば、ユーザの利便性を確保しつつ、紛失時や盗難時における第三者による非接触カード機能の不正利用を防止することが可能となる。
【発明を実施するための最良の形態】
【００２１】
以下、本発明の実施の形態について、添付図面を参照して詳細に説明する。
【００２２】
図１は、本発明の一実施の形態に係る移動体端末装置の非接触カード機能を用いたサービス提供システムの概略構成を示す図である。図１に示すサービス提供システムは、本発明に係る移動体端末（携帯電話）１と、この移動体端末１にサービス提供を行うサービス提供者の店舗等に配設される外部Ｒ／Ｗ２と、外部Ｒ／Ｗ２と接続されたサービス提供装置３とを有している。そして、移動体端末１の非接触カード機能を用いた情報通信により、移動体端末１と外部Ｒ／Ｗ２との間で必要な情報が交換された後、サービス提供装置３が電子決済サービスなどの各種サービスを移動体端末１に提供するように構成されている。
【００２３】
また、図１に示すサービス提供システムは、通信事業者網４（例えば、移動通信用のＰＤＣ−Ｐ（Personal Digital Cellular-Packet）網）等の通信ネットワークを介して接続される管理装置５を有している。管理装置５は、通信事業者網４を介して移動体端末１が有する機能の利用可否を制御するものである。特に、本実施の形態においては、移動体端末１のユーザの要請に応じて非接触カード機能の利用制限（遠隔ロック）を行う。なお、管理装置５による遠隔ロックは、移動体端末１との通信を前提とするため、移動体端末１が通信圏内に存在する場合にのみ行うことができ、移動体端末１が通信圏外に存在する場合や電源がオフ状態の場合には行うことができない。
【００２４】
図１に示す移動体端末１は、図２に示す構成を有する。図２は、本発明の一実施の形態に係る移動体端末装置の概略構成を示す図である。なお、図２に示す構成は、本発明を説明するために簡略化したものであり、通常の移動体端末装置に搭載される構成要素は備えているものとする。ここでは、移動体端末１が有する非接触カード機能がフェリカ（FeliCa）（登録商標）である場合について説明するものとする。
【００２５】
移動体端末１は、端末全体の制御を行う制御部１１と、非接触カード機能を実現するためのＩＣカード部１２と、移動体端末１において使用される表示を制御する表示制御部１３と、表示制御された文字、画像、映像を表示するディスプレイ１４と、ユーザからの操作入力を受け付ける操作入力部１５と、移動体端末１の電源状態（オン状態又はオフ状態）を検出する電源検出部１６と、所定の場合に非接触カード機能の利用時にユーザの認証処理を行う認証部１７と、上記認証処理に用いる認証情報を含む情報を記憶する記憶部１８と、通信事業者網４などのネットワークとの間の通信を制御する通信制御部１９と、移動体端末１の電波受信状態（通信圏内状態又は通信圏外状態）を検出する圏内外検出部２０と、アンテナ１８とを含んでいる。
【００２６】
ＩＣカード部１２は、フェリカコンテンツをバッファリングする非接触ＩＣチップ１２１と、非接触カード機能を実現させるためのコントローラ（フェリカオペレーティングシステム）１２２とを有する。また、非接触ＩＣチップ１２１には、移動体端末１の電波受信状態や電源状態に応じて設定されるセキュリティレベルが記録される。記憶部１８は、認証処理に用いられる認証情報を記憶する認証情報記憶部１８１を有する。なお、以下に説明する認証処理においては、認証情報としてユーザＩＤ及びパスワード（暗証番号）を用いた場合について説明するが、これに限定されるものではなく、ユーザの生体情報などの他の情報を認証情報として用いるようにしても良い。
【００２７】
ＩＣカード部１２は、外部Ｒ／Ｗ２との間で非接触カード通信を行う。すなわち、外部Ｒ／Ｗ２から発信する電磁波をＩＣカード部１２が受信すると、その電磁波に応じてＩＣカード部１２のコイルに電流が流れることで、コントローラ１２２が起動してＩＣカード部１２が使用可能となる。そして、この起動状態下において、外部Ｒ／Ｗ２から種々の情報（例えば、フェリカコンテンツ）を取得することが可能となる。なお、ＩＣカード部１２は、所定の場合（セキュリティレベルが後述するレベル２及びレベル３が設定されている場合）、外部Ｒ／Ｗ２との間で種々の情報を通信する際に制御部１１の許可を必要とする。すなわち、この場合には、制御部１１の許可がなければ、外部Ｒ／Ｗ２との間の通信を行うことができないように構成されている。
【００２８】
電源検出部１６は、ユーザの指示に応じて切り替えられる移動体端末１の電源状態を検出し、電源状態情報(電源オン情報又は電源オフ情報)を制御部１１に出力する。また、圏内外検出部２０は、移動体端末１の存在位置に応じて切り替わる受信電波状態を検出し、圏内外情報（圏内情報又は圏外情報）を制御部１１に出力する。なお、電源検出部１６が電源検出手段として機能し、圏内外検出部２０が電波状態検出手段として機能する。
【００２９】
制御部１１は、圏内外検出部２０から出力される圏内外情報又は電源検出部１６から出力される電源状態情報に応じて移動体端末１におけるセキュリティの管理レベル（以下、「セキュリティレベル」という）を切り替える。本実施の形態において、制御部１１は、圏内外情報又は電源状態情報に応じて３つのセキュリティレベル１〜３（以下、適宜「レベル１〜３」という））を設定する。具体的には、圏内外検出部２０から圏内情報を受け取った場合（つまり、移動体端末１が通信圏内に存在する場合）にレベル１を設定し、圏内外検出部２０から圏外情報を受け取った場合（つまり、移動体端末１が通信圏外に存在する場合）にレベル２を設定し、電源検出部１６から電源オフ情報を受け取った場合（つまり、移動体端末１の電源が切断された場合）にレベル３を設定する。
【００３０】
制御部１１は、移動体端末１の存在位置又は電源状態に応じて、逐次、セキュリティレベルを切り替える。ＩＣカード部１２における非接触ＩＣチップ１２１には、このように制御部１１により切り替えられるセキュリティレベルが記録される。図３は、非接触ＩＣチップ１２１に記録されるセキュリティレベルの一例を示す図である。図３においては、２００５年８月１１日午前８時から８月１２日の午前８時１分までの間に記録されたセキュリティレベルの内容について示している。
【００３１】
図３に示すように、非接触ＩＣチップ１２１には、セキュリティレベルが切り替えられた日時、その際のステータス及びセキュリティレベルが記録される。図３に示す例においては、８月１１日の８時、８時３５分、１８時１４分及び８月１２日の７時５５分に、移動体端末１の受信電波状態が通信圏外状態となり、セキュリティレベルがレベル２に設定されている一方、８月１１日の８時６分、８時４２分、１８時１５分及び８月１２日の８時１分に、移動体端末１の受信電波状態が通信圏内状態となり、セキュリティレベルがレベル１に設定されている。また、８月１１日の２２時５０分に移動体端末１の電源がオフ状態とされ、セキュリティレベルがレベル３に設定されている一方、８月１２日の６時３０分に移動体端末１の電源がオン状態とされ、セキュリティレベルがレベル１に設定されている。
【００３２】
また、制御部１１は、ＩＣカード部１２から非接触ＩＣカード機能の利用の許可要求を受けると、現在設定されているセキュリティレベルに応じた処理を実行する。詳細について後述するように、現在、設定されているセキュリティレベルがレベル２の場合、制御部１１は、認証部１７により認証処理を実行させ、その認証結果に応じて非接触ＩＣカード機能の利用許否を決定する。一方、現在、設定されているセキュリティレベルがレベル３の場合、制御部１１は、一時的に起動され、非接触ＩＣカード機能の利用を制限する。なお、現在、設定されているセキュリティレベルがレベル１の場合には、ＩＣカード部１２から非接触ＩＣカード機能の利用の許可要求が出力されることはないため、制御部１１が何らかの処理を実行することはない。
【００３３】
認証部１７は、制御部１１からの実行指示に応じて認証処理を実行する。認証処理は、表示制御部１３の制御の下、ディスプレイ１４に表示された認証画面において、操作入力部１５を介してユーザから入力されたユーザＩＤ及びパスワードと、認証情報記憶部１８２に予め記憶された認証情報（ユーザＩＤ及びパスワード）とを比較することで行われる。認証部１７は、このような認証処理により得た認証結果を制御部１１に出力する。
【００３４】
次に、上記構成を有する移動体端末装置において、非接触ＩＣカード機能の利用が指示された場合の処理について説明する。上述のように、本移動体端末１は、受信電波状態又は電源状態に応じてセキュリティレベルを切り替える。以下においては、説明の便宜上、電源がオン状態である場合及びオフ状態である場合に分けて説明する。まず、移動体端末１の電源がオン状態である場合において、非接触ＩＣカード機能の利用が指示された場合の処理について図４を用いて説明する。図４は、本実施の形態に係る移動体端末装置の電源がオン状態である場合において、非接触ＩＣカード機能の利用が指示された場合の処理を説明するためのシーケンス図である。
【００３５】
移動体端末１の電源がオン状態である場合、通信制御部１９は、最寄りの基地局から発信される電波を監視している。通信制御部１９が基地局から電波を受信した場合、圏内外検出部２０は、その電波に応じて受信電波状態が通信圏内であるか、通信圏外であるかを検出する。そして、その検出結果に応じた圏内外情報を制御部１１に出力する。圏内外情報を受け付けると（ＳＴ１０１）、制御部１１は、その圏内外情報に応じてセキュリティレベルを設定する（ＳＴ１０２）。この場合において、圏内外検出部２０から圏内情報を受け付けた場合には、セキュリティレベルをレベル１と設定する一方、圏外情報を受け付けた場合には、セキュリティレベルをレベル２と設定する。そして、制御部１１は、設定したセキュリティレベルをＩＣカード部１２（より詳しくはコントローラ１２２）に通知する（ＳＴ１０３）。
【００３６】
ＩＣカード部１２は、この通知を受けると、非接触ＩＣチップ１２１にセキュリティレベルを記録する（ＳＴ１０４）。ＩＣカード部１２によりセキュリティレベルの記録は、制御部１１からセキュリティレベルの通知を受ける度に行われる。このように制御部１１からの通知に応じてセキュリティレベルを記録した後、ＩＣカード部１２は、外部Ｒ／Ｗ２からの電磁波の受信を監視している（ＳＴ１０５）。外部Ｒ／Ｗ２からの電磁波を受信すると、ＩＣカード部１２は、現在、設定されているセキュリティレベルがレベル２であるか判定する（ＳＴ１０６）。ここで、セキュリティレベルがレベル２であるか判定するのは、非接触ＩＣカード機能を利用に際し、制御部１１の許可を必要とするか否かを判断するためである。現在のセキュリティレベルがレベル２に設定されている場合には、ＩＣカード部１２は、非接触ＩＣカード機能の利用の許可要求を制御部１１に出力する（ＳＴ１０７）。
【００３７】
この許可要求を受けると、制御部１１は、認証部１７による認証処理に用いるユーザＩＤ及びパスワードの入力を促す認証画面の表示を指示する認証処理通知を表示制御部１３に出力する（ＳＴ１０８）。この認証処理通知を受けると、表示制御部１３は、ディスプレイ１４に例えば、図５（ａ）に示す認証画面を表示させる（ＳＴ１０９）。図５（ａ）は、移動体端末１のディスプレイ１４上に表示された認証画面の一例を示す図である。ディスプレイ１４上にこのような認証画面を表示させた状態で、制御部１１は、操作入力部１５を介してユーザから入力されるパスワードを待機している（ＳＴ１１０）。ユーザからパスワード等が入力されると、制御部１１は、認証部１７に対して認証処理の実行を指示する認証指示を出力する（ＳＴ１１１）。この認証指示には、ユーザから入力されたパスワード等が含まれる。
【００３８】
認証指示を受けると、認証部１７は、認証処理を実行する（ＳＴ１１２）。ここで、認証部１７は、認証情報記憶部１８１に記憶された認証情報（ユーザＩＤ及びパスワード）と、認証指示に含まれるユーザＩＤ及びパスワードとを比較し、パスワード等を入力したユーザが正規のユーザであるか判定する。そして、その結果（認証結果）を制御部１１に出力する（ＳＴ１１３）。制御部１１は、認証結果を受け取ると、当該認証結果に応じて正規のユーザであるか否かを判定する（ＳＴ１１４）。ここで、正規のユーザであると判定した場合には、制御部１１は、非接触ＩＣカード機能の利用の許可を示す通信指示をＩＣカード部１２に対して出力する（ＳＴ１１５）。この通信指示を受け取ると、ＩＣカード部１２は、外部Ｒ／Ｗ２との間の通信処理を実行する（ＳＴ１１６）。
【００３９】
一方、正規のユーザではないと判定した場合には、制御部１１は、ＩＣカード部１２に対して指示を行わず、非接触ＩＣカード機能を利用することができない旨を示す利用不可画面の表示を指示する利用不可通知を表示制御部１３に対して出力する（ＳＴ１１７）。利用不可通知を受け取った表示制御部１３は、ディスプレイ１４に例えば、図５（ｂ）に示す利用不可画面を表示させる（ＳＴ１１８）。図５（ｂ）は、移動体端末１のディスプレイ１４上に表示された利用不可画面の一例を示す図である。ディスプレイ１４上にこのような利用不可画面を表示することで、非接触カード機能を利用できないことをユーザに通知している。
【００４０】
このように本実施の形態に係る移動体端末装置においては、移動体端末装置における受信電波状態に応じて認証部１７による認証処理の有無を切り替えている。特に、本実施の形態に係る移動体端末装置においては、電波状態が通信圏外状態の場合に認証部１７に認証処理を行わせる一方、通信圏内状態の場合に認証部１７に認証処理を行わせないようにしている。これにより、電波状態が、遠隔ロック不能である通信圏外状態の場合において、非接触カード機能を利用する場合にはユーザの認証処理が実行されるので、移動体端末装置が通信圏外に存在する場合における第三者による非接触カード機能の不正利用を防止することが可能となる。
【００４１】
なお、ＳＴ１０６において、現在設定されているセキュリティレベルがレベル２ではないと判定した場合には、ＩＣカード部１２は、そのままＳＴ１１６に移行し、外部Ｒ／Ｗ２との間の通信処理を実行する。このように、当該移動体端末１が通信圏内に存在する場合には認証処理が省略されることから、正規のユーザが遠隔ロック可能である通信圏内で当該移動体端末装置を携帯している場合にまで認証処理を要求することはないので、ユーザの利便性を損なうことはない。この結果、ユーザの利便性を確保しつつ、紛失時や盗難時における第三者による非接触カード機能の不正利用を防止することが可能となる。
【００４２】
また、図４に示すシーケンスにおいては、ＳＴ１０２にて圏内外検出部２０からの圏内外情報に応じてセキュリティレベルを設定するが、圏外情報を受け付けた場合において、当該情報が一定時間（例えば、１０秒）の間継続することを判定することは実施の形態として好ましい。この場合には、一時的に受信電波状態が通信圏外状態になった場合にまで、非接触カード機能の利用が制限される事態が回避されるので、よりユーザの利便性に優れた移動体端末１を提供することが可能となる。
【００４３】
次に、上記構成を有する移動体端末装置の電源がオフ状態に移行した場合において、非接触ＩＣカード機能の利用が指示された場合の処理について図６を用いて説明する。図６は、本実施の形態に係る移動体端末装置の電源がオン状態である場合において、非接触ＩＣカード機能の利用が指示された場合の処理を説明するためのシーケンス図である。
【００４４】
移動体端末１の電源がユーザにより切断されると、電源検知部１６は、移動体端末１の電源状態がオン状態からオフ状態に切り替えられたことを検出する。そして、これに応じて電源オフ情報を制御部１１に出力する。電源オフ情報を受け付けると（ＳＴ２０１）、制御部１１は、その電源オフ情報に応じてセキュリティレベルをＩＣカード部１２（より詳しくはコントローラ１２２）に通知する（ＳＴ２０２）。ここでは、移動体端末１の電源オフ状態に応じて設定されるレベル３をセキュリティレベルの内容として通知する。そして、セキュリティレベルを通知した後、制御部１１は、電源オフ状態へ移行する（ＳＴ２０３）。
【００４５】
ＩＣカード部１２は、この通知を受けると、非接触ＩＣチップ１２１にセキュリティレベルを記録する（ＳＴ２０４）。このように制御部１１からの通知に応じてセキュリティレベルを記録した後、ＩＣカード部１２は、外部Ｒ／Ｗ２からの電磁波の受信を監視する（ＳＴ２０５）。外部Ｒ／Ｗ２からの電磁波を受信すると、ＩＣカード部１２は、現在、設定されているセキュリティレベルがレベル３であるか判定する（ＳＴ２０６）。ここで、セキュリティレベルがレベル３であるか判定するのは、非接触ＩＣカード機能を利用に際し、制御部１１の許可を必要とするか否かを判断するためである。現在のセキュリティレベルがレベル３に設定されている場合には、ＩＣカード部１２は、非接触ＩＣカード機能の利用の許可要求を制御部１１に出力する（ＳＴ２０７）。
【００４６】
電源オフ状態に移行している状態で、この許可要求を受けると、制御部１１は、一時的に起動する（ＳＴ２０８）。そして、非接触ＩＣカード機能の利用を許可しない旨を通知する不許可通知をＩＣカード部１２に対して出力する（ＳＴ２０９）。この不許可通知を出力した後、制御部１１は、再び、電源オフ状態に移行する（ＳＴ２１０）。この不許可通知を受け取った場合には、ＩＣカード部１２は、外部Ｒ／Ｗ２からの電磁波に応答することはない。従って、移動体端末１の電源がオフ状態の場合には、非接触ＩＣカード機能の利用が制限されることとなる。
【００４７】
このように本実施の形態に係る移動体端末装置においては、移動体端末装置における電源状態に応じてセキュリティレベルの切替えを行っている。特に、本実施の形態に係る移動体端末装置においては、電源状態が電源オフ状態の場合に非接触カード機能の利用を制限する一方、電源オン状態の場合に非接触カード機能の利用を許容する。これにより、電源オフ状態における非接触カード機能の利用が制限されるので、移動体端末装置が遠隔ロック不能である電源オフ状態の場合における第三者による非接触カード機能の不正利用を防止することが可能となる。一方、当該移動体端末が電源オン状態の場合には非接触カード機能の利用が許容されることから、正規のユーザが電源オン状態で非接触カード機能を利用する場合まで当該機能の利用が制限されることはないので、ユーザの利便性を損なうことはない。この結果、ユーザの利便性を確保しつつ、紛失時や盗難時における第三者による非接触カード機能の不正利用を防止することが可能となる。
【００４８】
本発明は上記実施の形態に限定されず、種々変更して実施することが可能である。例えば、上記実施の形態においては、非接触カード機能がフェリカである場合について説明しているが、本発明は非接触カード機能がフェリカ以外の非接触カード機能である場合にも同様に適用することができる。その他、本発明の範囲を逸脱しない限りにおいて適宜変更して実施することが可能である。
【００４９】
例えば、上記実施の形態においては、移動体端末１の電源状態を検出し、電源オフ状態で非接触カード機能の利用が指示された場合には、制御部１１のみを一時的に起動して非接触カード機能の利用を拒絶する場合について示している。しかし、これに限定されず、非接触カード機能の利用に応じて認証部１７等の構成要素も起動し、上述のように、電波状態が通信圏外状態である場合のように、ユーザの認証処理を行うようにしても良い。この場合には、電源オフ状態においても、ユーザの認証処理を経て非接触カード機能の利用が可能となるため、より利便性に優れた移動体端末装置を提供することが可能となる。
【図面の簡単な説明】
【００５０】
【図１】本発明の一実施の形態に係る移動体端末装置の非接触カード機能を用いたサービス提供システムの概略構成を示す図である。
【図２】上記実施の形態に係る移動体端末装置の概略構成を示す図である。
【図３】上記実施の形態に係る移動体端末装置が有する非接触ＩＣチップに記録されるセキュリティレベルの一例を示す図である。
【図４】上記実施の形態に係る移動体端末装置の電源がオン状態である場合において、非接触ＩＣカード機能の利用が指示された場合の処理を説明するためのシーケンス図である。
【図５】（ａ）上記実施の形態に係る移動体端末装置のディスプレイに表示された認証画面の一例を示す図である。（ｂ）上記実施の形態に係る移動体端末装置のディスプレイに表示された利用不可画面の一例を示す図である。
【図６】上記実施の形態に係る移動体端末装置の電源がオン状態である場合において、非接触ＩＣカード機能の利用が指示された場合の処理を説明するためのシーケンス図である。
【符号の説明】
【００５１】
１  移動体端末
２  外部Ｒ／Ｗ
３  サービス提供装置
４  通信事業者網
５  管理装置
１１  制御部
１２  ＩＣカード部
１３  表示制御部
１４  ディスプレイ
１５  操作入力部
１６  電源検出部
１７  認証部
１８  記憶部
１９  通信制御部
２０  圏内外検出部
２１  アンテナ
１２１  非接触ＩＣチップ
１２２  コントローラ
【図１】
2007068016.tif 000003
【図２】
2007068016.tif 000004
【図３】
2007068016.tif 000005
【図４】
2007068016.tif 000006
【図５】
2007068016.tif 000007
【図６】
2007068016.tif 000008